(57)【要約】【課題】  印刷等が施される面積や色彩にかかわらず輝度が低下せず、多種多様なデザイン並びに色彩や配色によるデータを色鮮やかに表示可能な電光看板を提供する。【解決手段】  電光看板１０は、矢印で示す方向を発光面側とした場合、最上層から光透過性フィルム１と、透明電極２と、発光体層３と、誘電体層４と、背面電極５と、背面保護層６と、が積層されて成る。透明電極２がコーティングされた光透過性フィルム１の発光面側に対して昇華染料インクを用いて表示用データの転写を施す。電光看板１０は、光透過性フィルム１に分子レベルで染料が含浸して固定されているため、印刷等が施される面積や色彩にかかわらず発光体層３による光源の輝度を損なうことが無く、多種多様な色彩や配色による転写データを色鮮やかに映し出すことができる。【選択図】図１
2018132749.tif 000002
【特許請求の範囲】
【請求項１】
ＥＬ素子を用いた電光看板であって、
発光面側の最外層に設けられる光透過性部材に対して昇華染料インクを用いて所望の表示用データを転写したことを特徴とする電光看板。
【請求項２】
ＥＬ素子を用いた電光看板であって、
当該電光看板の外装を被覆する光透過性部材の発光面側に対して昇華染料インクを用いて所望の表示用データを転写したことを特徴とする電光看板。
【請求項３】
前記ＥＬ素子は、有機ＥＬ素子または無機ＥＬ素子であることを特徴とする請求項１または２に記載の電光看板。
【請求項４】
前記光透過性部材は、光透過性フィルムであることを特徴とする請求項１に記載の電光看板。
【請求項５】
前記光透過性部材は、透明フィルムであることを特徴とする請求項２に記載の電光看板。
【請求項６】
前記光透過性部材は、ポリエステルメッシュであることを特徴とする請求項１または２に記載の電光看板。
【発明の詳細な説明】
【技術分野】
【０００１】  本発明は、エレクトロルミネッセンス素子（以下、「ＥＬ素子」という）を用いた電光看板に関し、特に印刷等が施される面積や色彩にかかわらず輝度が低下せず多種多様なデザイン並びに色彩や配色によるデータを色鮮やかに表示可能な電光看板に関する。
【背景技術】
【０００２】  昨今、薄型化に対応するためＥＬ素子による面発光の光源をバックライトとして用いた電光看板が利用されている。【０００３】  従来のＥＬ素子を用いた電光看板を図３に示す。電光看板１００は、矢印で示す方向を発光面側とした場合、最上層から光透過性フィルム１１と、透明電極１２と、発光体層１３と、誘電体層１４と、背面電極１５と、背面保護層１６と、が積層される構成となっている。光透過性フィルム１１上には、広告などの看板として表示するための印刷データが印刷塗膜２０として形成される。【０００４】  この電光看板１００は、透明電極１２と背面電極１５に対して交流電圧を印加すると、発光体層１３の蛍光体物質が充放電を繰り返して連続的に発光することにより、光透過性フィルム１１に形成された印刷データを照らし出すものである。【０００５】  従来、無機ＥＬ素子をバックライトとして利用する電光看板としては、例えば、以下の特許文献１が知られている。特許文献１の電光看板及び電光看板装置は、無機ＥＬシートと表示面側の最外装に配置される透明フィルムとが積層されて成り、この透明フィルムに対してインクジェット方式やレーザー方式によって印刷塗膜（印刷層）を形成し、透明電極に張り付けられて使用するものである。
【先行技術文献】
【特許文献】
【０００６】
【特許文献１】特開２０１５−１３２６６８
【発明の概要】
【発明が解決しようとする課題】
【０００７】  しかしながら、特許文献１に示すように発光面側の透明フィルム上に印刷層（印刷塗膜）を形成した場合、無機ＥＬ発光シートにより得られる本来の輝度が印刷層によって遮蔽されることに起因し、印刷面積に反比例して情報の表示面が暗くなってしまう不具合が有り、表示可能なデータや色彩、配色等が制限されてしまうという問題点があった。輝度の点からは、有機ＥＬ素子を用いればある程度は改善されるが、それでもある程度の印刷層による遮蔽は免れない。【０００８】  本発明は、上記問題点に鑑みてなされたものであり、面積や色彩にかかわらず輝度が低下せず、多種多様なデザイン並びに色彩や配色によるデータを色鮮やかに表示可能な電光看板を提供することを目的とする。
【課題を解決するための手段】
【０００９】  かかる目的を達成するため、本発明は、ＥＬ素子を用いた電光看板であって、発光面側の最外層に設けられる光透過性部材に対して昇華染料インクを用いて所望の表示用データを転写したことを特徴とする。【００１０】  また、本発明は、ＥＬ素子を用いた電光看板であって、当該電光看板の外装を被覆する光透過性部材の発光面側に対して昇華染料インクを用いて所望の表示用データを転写したことを特徴とする。【００１１】  以上の構成において、前記ＥＬ素子は、有機ＥＬ素子または無機ＥＬ素子であることを特徴とする。また、前記光透過性部材は、光透過性フィルムであることを特徴とする。また、前記光透過性部材は、透明フィルムであることを特徴とする。更に、前記光透過性部材は、ポリエステルメッシュであることを特徴とする。
【発明の効果】
【００１２】  本発明によれば、発光面側の最外層に設けられる光透過性部材に対して昇華染料インクを分子レベルで含浸させることで表示用データを転写するため、綺麗に表示されにくかった写真やコンピュータグラフィックスなどの細かい部分やグラデーションまでも色鮮やかに映し出すことが可能となり、半永久的に色落ちしない発色の良い電光看板を提供することができる。【００１３】  また、本発明によれば、撥水性を高めるために電光看板を被覆した光透過性部材の発光面側に対して、昇華染料インクを分子レベルで含浸させることで表示用データを転写するため、綺麗に表示されにくかった写真やコンピュータグラフィックスなどの細かい部分やグラデーションを色鮮やかに映し出すことが可能となり、半永久的に色落ちしない発色の良い電光看板を提供することができる。
【図面の簡単な説明】
【００１４】
【図１】本発明の第１の実施形態における電光看板の構成を示す断面図である。
【図２】本発明の第２の実施形態における電光看板の構成を示す断面図である。
【図３】従来の電光看板の構成を示す断面図である。
【発明を実施するための形態】
【００１５】＜第１の実施形態＞
図１に示すように、本発明の第１の実施形態に係る電光看板１０は、矢印で示す方向を発光面側とした場合、最上層（最外層）から光透過性フィルム１と、透明電極２と、発光体層３と、誘電体層４と、背面電極５と、背面保護層６と、が積層されて成る。
【００１６】  光透過性フィルム１は、例えば、ポリエチレンテレフタレート（ＰＥＴ）フィルムであり、光透過性を有する樹脂フィルムである。透明電極２は、酸化インジウムスズ（ＩＴＯ）からなる透明導電膜である。この透明導電膜（透明電極２）は、光透過性フィルム１にコーティングされることで透明なＩＴＯフィルムとして積層される。以下、光透過性フィルム１と透明電極２は、一体化されたＩＴＯフィルムとして説明する。
【００１７】  発光体層３は、無機物の蛍光体物質からなり、例えば、硫化亜鉛（Ｚｎｓ）などを基質とし、そこに銅（Ｃｕ）などの単色発光する物質を添加して焼結したものである。誘電体層４は、例えば、高い比誘電率を持つチタン酸バリウム（ＢａＴｉＯ３）からなる。背面電極５は、例えば、カーボン（Ｃ）や銀（Ａｇ）からなる。背面保護層６は、例えば、メウジウムからなる。
【００１８】  本発明は、ＩＴＯフィルムの発光面側（光透過性フィルム１）に対して昇華染料インクを用いて転写を行うものである。昇華染色インクを用いた転写は、１８０℃から１９０℃の加熱によって繊維分子の結合が離れ、加熱を停止することで繊維分子が再結合するというポリエステル樹脂の性質を利用するものであり、加熱加圧させた昇華染料インクを分離したポリエステル分子間に含浸させ、分子同士の再結合によって分子レベルで染色固定するものである。なお、転写処理は、製版の必要が無いインクジェットプリンタによるのが好ましい。
【００１９】  転写時間は、０．５〜５分が標準的であり、０．６〜１分がより好ましい。加熱時間は昇華性染料の熱特性によって異なり、一般に、転写後の高い堅牢度を要求する染料の場合には高い加熱温度と長い加熱時間を使用する。
【００２０】  転写圧力は、０．０１〜１．０ｋｇ重／ｃｍ２（０．０９８〜９．８Ｎ／ｃｍ２）が好ましく、０．０２〜０．５ｋｇ重／ｃｍ２（０．１９〜４．９Ｎ／ｃｍ２）がより好ましい。
【００２１】  なお、転写用紙を過度に加熱し過ぎたり、長時間加熱しすぎたりすると、ポリエステル繊維が完全に融解して固着するなどの虞があるので注意が必要である。
【００２２】  昇華性染料インクは、水性溶媒中に微細な昇華性染料を分散したインクである。分散された染料微粒子の凝集を防止するために、界面活性剤等の分散安定剤を使用する。昇華性染料インクは染料パターン作成手段により転写用紙上に一旦保持される。インクは減色法の３原色（イエロー（Ｙ）、マゼンタ（Ｍ）及びシアン（Ｃ））を組み合わせて使用することが好ましく、必要に応じて黒インクを併用しても良い。イエローを１色とし、マゼンタ及びシアンを濃淡２色としても良い。黒インクはＣＭＹ３色を混合使用しても良く、黒１色を使用しても良い。
【００２３】  昇華性染料としては多くの分散染料、一部の油溶性染料及び一部の塩基性染料が使用できる。
本発明で用いる染料は、蒸気圧が高く、且つ熱安定性の良いことが求められるため、非イオン性の分散染料が好ましい。具体的にはカラーインデックスＮｏ．による表示で、ＣＩ  Ｄｉｓｐｅｒｓｅ  Ｙｅｌｌｏｗ−７、４２、６４、７１、Ｏｒａｎｇｅ−１３、Ｒｅｄ−４、５０、６０、１４６、３６４、Ｖｉｏｌｅｔ−２８、Ｂｌｕｅ−５６などが挙げられる。このほか、アミノアントラキノン系、インドアニリン系、キノフタロン系、ジシアノイミダゾール系、ジシアノメチン系、ジアミノアントラキノン系、ジヒドロキシアントラキノン系、ジアミノジヒドロキシアントラキノン系の染料が有効である。
【００２４】  以下にＹＭＣの昇華性染料について詳しく説明する。
イエローの昇華性染料としてはＫａｙａｃｅｔ  Ｙｅｌｌｏｗ  ＡＧ、ＫａｙａｋｕｔＹｅｌｌｏｗ  ＴＤＮ（以上日本化薬（株）製）、ＰＴＹ５２、Ｄｉａｎｉｘ  Ｙｅｌｌｏｗ  ５Ｒ−Ｅ、ＤｉａｎｉｘＹｅｌｌｏｗ  Ｆ３Ｇ−Ｅ、ＤｉａｎｉｘＢｒｉｌｌｉａｎｔ  Ｙｅｌｌｏｗ  ５Ｇ−Ｅ（以上三菱化成（株））、プラストＹｅｌｌｏｗ  ８０４０、ＤＹ１０８（以上有本化学（株）製）、Ｓｕｍｉｋａｒｏｎ  Ｙｅｌｌｏｗ  ＥＦＧ、Ｓｕｍｉｋａｒｏｎ  ＹｅｌｌｏｗＥ−４ＧＬ（以上住友化学（株）製）、ＦＯＲＯＮ  Ｂｒｉｌｌｉａｎｔ  ＹｅｌｌｏｗＳ６ＧＬＰＩ（Ｓａｎｄ  社製）等が例示できる。
【００２５】  マゼンタの昇華性染料としては、例えばＫａｙａｃｅｔ  Ｒｅｄ  ０２６、ＫａｙａｃｅｔＲｅｄ  １３０、Ｋａｙａｃｅｔ  Ｒｅｄ  Ｂ（以上日本化薬（株）製）、ＯｉｌＲｅｄ  ＤＲ−９９、ＯｉｌＲｅｄ  ＤＫ−９９（以上有本化学（株）製）、ＤｉａｃｅｌｌｉｔｏｎＰｉｎｋ  Ｂ（三菱化成（株）製）、Ｓｒｍｉｋａｒｏｎ  Ｒｅｄ  Ｅ−ＦＢＬ（住友化学（株）製）、ＬａｔｙｌＲｅｄ  Ｂ（Ｄｕ  Ｐｏｎｔ  社製）、Ｓｕｄａｎ  Ｒｅｄ７Ｂ（ＢＡＳＦ社製）、Ｒｅｓｏｌｉｎ  Ｒｅｄ  ＦＢ、Ｃｅｒｅｓ  Ｒｅｄ７Ｂ（以上  Ｂａｙｅｒ社製）等が例示できる。
【００２６】  シアンの昇華性染料としては、例えば、Ｋａｙａｌｏｎ  Ｆａｓｔ  Ｂｌｕｅ  ＦＧ、ＫａｙａｃｅｔＢｌｕｅ  ＦＲ、Ｋａｙａｃｅｔ  Ｂｌｕｅ  １３６、Ｋａｙａｃｅｔ  Ｂｌｕｅ９０６（以上日本化薬（株）製）、Ｏｉｌ  Ｂｌｕｅ  ６３（有本化学（株）製）、ＨＳＢ９（三菱化成（株）製）、ＤｉｓｐｅｒｓｅＢｌｕｅ  ＃１（住友化学（株）製）、ＭＳ  Ｂｌｕｅ  ５０（三井東圧（株）製）、Ｃｅｒｅｓ  Ｂｌｕｅ  ＧＮ（Ｂａｙｅｒ社製）、Ｄｕｒａｎｏｌ  Ｂｒｉｌｌｉａｎｔ  Ｂｌｕｅ  ２Ｇ（ＩＣＩ社製）等が例示できる。
【００２７】  転写用紙は、昇華性染料インクを適度に含浸することが好ましい。染料インクが転写用紙の表面から深く紙中に入りすぎると熱転写の段階で昇華しにくくなる傾向がある。逆に染料微粒子が適度に紙中に含浸されないとインクの滲みを生じる。転写用紙は、セルロースパルプからなる紙に適当な防水加工を施したものを使用する。
【００２８】  転写用紙はロール状でもシート状でも良い。シート状の転写用紙は転写両像の大きさに合わせて適宜選択できる。
【００２９】  転写用紙の替わりに、昇華性染料インクの適度な含浸性を有する布帛、不織布またはフィルムなどを転写体として用いても良い。紙の発火点は２３３℃と比較的低温であり、インクの昇華時に発火や劣化の虞がある。この点、比較的発火点の高い不織布などを用いる利点がある。
【００３０】  転写紙上に保持された昇華性染料は、熱転写の際に加えられる高温雰囲気下で被転写物である光透過性フィルム１に昇華移行して、光透過性フィルム１を染色し、デジタル画像を光透過性フィルム１上に描画する。
【００３１】  以上の方法により転写された光透過性フィルム１を具備する電光看板１０は、分子レベルで染料が含浸して固定されているため、転写する面積や色彩にかかわらず発光体層３による光源の輝度を損なうことが無く、多種多様なデザイン並びに色彩や配色による転写データを色鮮やかに映し出すことができる。
【００３２】  また、本発明の第１の実施形態では、積層加工済み電光看板のＩＴＯフィルムの発光面側（光透過性フィルム１）に対して昇華染料インクを用いて転写するものであるが、例えば、発光体層３に対して接着力の弱いバインダーを用いることでＩＴＯフィルムの張り替えが可能な構成とすることも可能である。
【００３３】＜第２の実施形態＞
図２に示すように、本発明の第２の実施形態に係る電光看板２０は、矢印で示す方向を発光面側とした場合、第１の実施形態と同様に光透過性フィルム１と、透明電極２と、発光体層３と、誘電体層４と、背面電極５と、背面保護層６と、が積層され、その外装部分の保護及び撥水性を高めるためポリエステル樹脂から成る透明フィルム７ａ及び７ｂによりラミネート加工されている。なお、第１の実施形態と同一構成については、同一符号を付してその説明を省略する。
【００３４】  本発明の第２の実施形態では、光透過性フィルム１と透明電極２とから成るＩＴＯフィルムに対しての転写を行わず、電光看板２０の表面並びに背面を保護するために設けられた透明フィルム７ａ、７ｂのうち、発光面側の透明フィルム７ａに対して昇華染料インクを用いて転写を行うものである。
【００３５】  以上の方法により転写された透明フィルム７ａを具備する電光看板２０は、分子レベルで染料が含浸して固定されているため、転写する面積や色彩にかかわらず、ＩＴＯフィルム（光透過性フィルム１及び透明電極２）を介しても発光体層３による光源の輝度を損なうことが無く、多種多様なデザイン並びに色彩や配色による転写データを色鮮やがに映し出すことができる。
【００３６】  なお、上記は、無機ＥＬ素子をバックライトとして用いた電光看板の例であるが、有機ＥＬ素子をバックライトとして用いた電光看板にも適用することができることは言うまでもない。無機ＥＬ素子と有機ＥＬ素子とでは、発光原理が違うだけであり、光透過性フィルムあるいは透明フィルムが最外層に設けられ、そのフィルムに昇華染料を転写する作用は同じであるからである。
【００３７】  また、上記の例では、最外層に設けられるのは、光透過性フィルムあるいは透明フィルムであるが、これに限られることなく、例えば、ポリエステル樹脂をメッシュ状にしたものであり、一定の光透過性を有するポリエステルメッシュであってもよい。
【００３８】  なお、上記実施形態は本発明の好適な実施の一例であり、これに限定されるものではなく、本発明の要旨を逸脱しない範囲において種々変形して実施することが可能となる。
【符号の説明】
【００３９】１０，２０，１００  電光看板
１，１１  光透過性フィルム
２，１２  透明電極
３，１３  発光体層
４，１４  誘電体層
５，１５  背面電極
６，１６  背面保護層
７ａ，７ｂ  透明フィルム
１７  転写塗膜
【図１】
2018132749.tif 000003
【図２】
2018132749.tif 000004
【図３】
2018132749.tif 000005